(57)【要約】【課題】選局キーや信号切替キーの操作だけでその操作直前に表示していた映像のチャンネルや入力源を確実に認識させ得るテレビを提供する。【解決手段】選局キーの操作に従って選局したチャンネルの映像音声信号Ｓａを抽出する選局部と、外部からの映像音声信号Ｓａおよび選局部からの映像音声信号Ｓａのうちのいずれか１つを信号切替キーの操作に従って切り替えて出力する信号切替部１４と、表示部１７を制御する制御部２１とを備え、制御部２１は、選局キーおよび信号切替キーのいずれか一方の操作時において、操作の直前に信号切替部１４から出力されていた映像音声信号Ｓａが選局部からの映像音声信号Ｓａのときにはそのチャンネルを示す第１の画像を表示部１７に表示させ、外部装置１００からの映像音声信号Ｓａのときにはその外部装置１００を示す第２の画像を表示部１７に表示させる。【選択図】図１
2007116396.tif 000002
【特許請求の範囲】
【請求項１】
操作部の選局キーの操作に従ってチャンネルを選局して当該チャンネルの信号を抽出する選局部と、外部から入力している外部入力信号および前記選局部によって抽出されている抽出信号のうちのいずれか１つの信号を前記操作部の信号切替キーの操作に従って切り替えて出力する信号切替部と、前記信号切替部から出力される前記信号に基づく映像を表示する表示部と、前記表示部を制御する制御部とを備えたテレビであって、
前記制御部は、前記選局キーおよび前記信号切替キーのいずれか一方の操作時において、当該操作の直前に前記信号切替部から出力されていた信号が前記抽出信号のときには当該抽出信号のチャンネルを示す第１の画像を前記表示部に表示させ、当該信号が前記外部入力信号のときには当該外部入力信号の入力源を示す第２の画像を前記表示部に表示させるテレビ。
【請求項２】
前記制御部は、前記第１の画像および前記第２の画像を所定時間だけ前記表示部に表示させる請求項１記載のテレビ。
【請求項３】
前記制御部は、前記いずれか一方のキーの操作後に前記信号切替部から出力されている信号が前記抽出信号のときには当該抽出信号のチャンネルを示す第３の画像を前記表示部に表示させ、当該信号が前記外部入力信号のときには当該外部入力信号の入力源を示す第４の画像を前記表示部に表示させる請求項１または２記載のテレビ。
【請求項４】
前記制御部は、前記第１の画像および前記第２の画像を前記第３の画像および前記第４の画像よりも大きく表示させる請求項３記載のテレビ。
【発明の詳細な説明】
【技術分野】
【０００１】
本発明は、外部から入力している外部入力信号および選局部によって抽出されている抽出信号のうちのいずれか１つの信号を切り替えて出力する信号切替部と、信号切替部から出力される信号に基づく映像を表示する表示部とを備えているテレビに関するものである。
【背景技術】
【０００２】
例えば、リモコンに配設されている表示キーを操作したときに、現在選局されているチャンネルを示す文字（以下、単に「チャンネル」ともいう））や、現在入力している外部入力信号の入力源（入力ソース）を示す文字（以下、単に「入力源」ともいう）が画面に表示されるテレビが従来から知られている。また、特開２００５−１５０９８８号公報には、操作したチャンネル選択ボタンが、他のチャンネル選択ボタンを操作するまで点灯するリモートコントロール装置が開示されている。これらのテレビやリモートコントロール装置（以下、両者を併せて「装置」ともいう）では、チャンネルや入力源が表示されたり、チャンネル選択ボタンが点灯することにより、現在選局しているチャンネルや現在入力している外部入力信号の入力源を使用者に認識させることが可能となっている。
【特許文献１】特開２００５−１５０９８８号公報（第６頁、第２図）
【発明の開示】
【発明が解決しようとする課題】
【０００３】
ところが、上記の装置には、以下の問題点がある。すなわち、上記のリモートコントロール装置では、各チャンネル選択ボタンと各チャンネルとを一対一で対応付ける必要がある。しかしながら、リモートコントロール装置におけるチャンネル選択ボタンの配設スペースが限られているため、ＣＳ放送やＢＳ放送のようにチャンネル数が増加している今日の状況下においては、チャンネル数分のチャンネル選択ボタンを設けるのは困難である。一方、近年では、ＶＴＲ等の外部装置のリモコンや汎用のリモコンを用いて外部装置およびテレビの双方の動作を制御する使用形態が一般化している。しかしながら、汎用のリモコンや外部装置のリモコンには、画面表示キーを備えていないものがあるため、このようなリモコンを使用したときには、チャンネルや入力源の表示自体が困難となる。
【０００４】
この場合、上記のテレビを含むこの種のテレビでは、チャンネル切替を行った際に切替後のチャンネルを所定時間だけ表示する機能を有しているのが一般的である。このため、この機能と、通常のリモコンには標準的に設けられているチャンネルアップダウンキーとを利用して現在選択しているチャンネルを示す画面を表示させる方法も考えられる。具体的には、例えば、１チャンネルの映像を視聴している状態でそのチャンネルを確認したいときには、チャンネルアップダウンキーにおけるアップ側のキーを操作した後に、チャンネルアップダウンキーにおけるダウン側のキーを操作する。この際に、アップ側のキーの操作によって２チャンネルを示す文字が表示され、続いて、ダウン側のキーの操作によって１チャンネルを示す文字が所定時間だけ表示される。これにより、選局していたチャンネルを確認することが可能となる。しかしながら、例えば、外部入力信号に切り替えてその映像（外部映像）を視聴している状態で、上記と同様にしてチャンネルアップダウンキーを用いた操作を行ったとしても、チャンネルアップダウンキーが通常ではチャンネルを選局する機能しか有していないため、この操作では、外部入力信号の入力源を表示させることができないこととなる。したがって、この方法においても、外部入力信号の入力源を使用者に認識させるのは、依然として困難である。
【０００５】
本発明は、かかる問題点に鑑みてなされたものであり、選局キーや信号切替キーの操作だけでその操作直前に表示していた映像のチャンネルや入力源を確実に認識させ得るテレビを提供することを主目的とする。
【課題を解決するための手段】
【０００６】
上記目的を達成すべく本発明に係るテレビは、操作部の選局キーの操作に従ってチャンネルを選局して当該チャンネルの信号を抽出する選局部と、外部から入力している外部入力信号および前記選局部によって抽出されている抽出信号のうちのいずれか１つの信号を前記操作部の信号切替キーの操作に従って切り替えて出力する信号切替部と、前記信号切替部から出力される前記信号に基づく映像を表示する表示部と、前記表示部を制御する制御部とを備えたテレビであって、前記制御部は、前記選局キーおよび前記信号切替キーのいずれか一方の操作時において、当該操作の直前に前記信号切替部から出力されていた信号が前記抽出信号のときには当該抽出信号のチャンネルを示す第１の画像を前記表示部に表示させ、当該信号が前記外部入力信号のときには当該外部入力信号の入力源を示す第２の画像を前記表示部に表示させる。
【０００７】
このテレビでは、制御部が、選局キーおよび信号切替キーのいずれか一方の操作時において、その操作の直前に信号切替部から出力されていた信号が抽出信号のときには抽出信号のチャンネルを示す第１の画像を表示部に表示させ、その信号が外部入力信号のときには外部入力信号の入力源を示す第２の画像を表示部に表示させる。このため、選局キーまたは信号切替キーの操作の直前に表示されていた映像が選局部からの信号に基づくものであるか、外部から入力している信号に基づくものであるかに拘わらず、その映像のチャンネルを示す第１の画像や入力源を示す第２の画像を確実に表示させることができる。したがって、このテレビによれば、選局キーまたは信号切替キーの操作だけで、その操作直前に表示していた映像のチャンネルや入力源を使用者に対して確実に認識させることができる。
【０００８】
また、本発明に係るテレビは、上記のテレビにおいて、前記制御部は、前記第１の画像および前記第２の画像を所定時間だけ前記表示部に表示させる。
【０００９】
このテレビでは、制御部が、第１の画像および第２の画像を所定時間だけ表示部に表示させる。このため、例えば、その所定時間を短い時間に設定することで、第１の画像や第２の画像の表示によって映像が長時間に亘って見づらくなる事態を回避することができる。
【００１０】
また、本発明に係るテレビは、上記のテレビにおいて、前記制御部は、前記いずれか一方のキーの操作後に前記信号切替部から出力されている信号が前記抽出信号のときには当該抽出信号のチャンネルを示す第３の画像を前記表示部に表示させ、当該信号が前記外部入力信号のときには当該外部入力信号の入力源を示す第４の画像を前記表示部に表示させる。
【００１１】
このテレビでは、制御部が、選局キーおよび信号切替キーのいずれか一方のキーの操作後に信号切替部から出力されている信号が抽出信号のときには抽出信号のチャンネルを示す第３の画像を表示部に表示させ、その信号が外部入力信号のときには外部入力信号の入力源を示す第４の画像を表示部に表示させる。このため、現在表示されている映像のチャンネルや入力源と、選局キーまたは信号切替キーの操作の直前に表示されていた映像のチャンネルや入力源とを同時に認識させることができる。
【００１２】
また、本発明に係るテレビは、上記のテレビにおいて、前記制御部は、前記第１の画像および前記第２の画像を前記第３の画像および前記第４の画像よりも大きく表示させる。
【００１３】
このテレビでは、制御部が、第１の画像および第２の画像を第３の画像および第４の画像よりも大きく表示させる。このため、第１の画像および第２の画像と第３の画像および第４とを明確に区別して視認させことができるため、選局キーまたは信号切替キーの操作の直前に表示されていた映像のチャンネルや入力源と、操作後に表示される映像のチャンネルや入力源とを誤って認識させる事態を確実に防止することができる。
【発明を実施するための最良の形態】
【００１４】
以下、本発明に係るテレビの最良の形態について、添付図面を参照して説明する。図１に示すプロジェクションテレビ（以下、単に「テレビ」ともいう）１は、本発明に係るテレビの一例であって、同図に示すように、本体部２およびリモコン３を備えて構成されている。本体部２は、選局処理部１１、チューナ１２、プリセット情報保存部１３、信号切替部１４、映像音声処理部１５、映像出力部１６、表示部１７、音声出力部１８、スピーカ１９、キー入力処理部２０および制御部２１を備えている。
【００１５】
選局処理部１１は、制御部２１の制御に従い、チューナ１２に対して所定のチャンネルを選局させてそのチャンネルの映像音声信号Ｓａを抽出させる。チューナ１２は、一例として、ＢＳデジタル放送、１１０度ＣＳデジタル放送、地上デジタル放送および地上アナログ放送を受信可能に構成されて、選局処理部１１の制御に従い、所定のチャンネルを選局してそのチャンネルの映像音声信号Ｓａを図外のアンテナで受信した放送波から抽出して信号切替部１４に出力する。この場合、選局処理部１１とチューナ１２とによって本発明における選局部が構成される。
【００１６】
プリセット情報保存部１３は、リモコン３のチャンネル指定キー３２Ａ〜３２Ｌ（図２参照）とチャンネル指定キー３２Ａ〜３２Ｌに割り当てられるチャンネル（チャンネルの番号）とを対応付けるプリセットデータＤｃを記憶する。信号切替部１４は、制御部２１の制御に従い、図１に示す入力端子２２Ａ，２２Ｂ，２２Ｃ（以下、区別しないときには「入力端子２２」ともいう）を介して入力している外部装置１００ａ〜１００ｃ（本発明における入力源）からの映像音声信号Ｓａ（本発明における外部入力信号に相当する）、およびチューナ１２によって抽出されている映像音声信号Ｓａ（本発明における抽出信号に相当する）のうちのいずれか１つの映像音声信号Ｓａを切り替えて出力する。映像音声処理部１５は、制御部２１の制御に従い、信号切替部１４から出力される映像音声信号Ｓａに基づく映像信号Ｄｐおよび音声信号Ｄｖを映像出力部１６および音声出力部１８にそれぞれ出力する。映像出力部１６は、制御部２１の制御に従い、映像音声処理部１５から出力された映像信号Ｄｐを映像Ｐ（図２、図４〜図６参照）の表示用の映像信号Ｓｐに変換して表示部１７に出力する。表示部１７は、一例として、光学エンジンおよびスクリーンパネル（いずれも図示せず）を備え、映像出力部１６から出力された映像信号Ｓｐに対応する映像を表示する。具体的には、この表示部１７は、出力された映像信号Ｓｐに基づいて光源ランプからの投射光を光変調してスクリーンパネルに背面側から投射することで各種映像を表示する。この場合、上記の光学エンジンは、例えば、光変調素子（一例として、デジタルマイクロミラーデバイスや液晶ライトバルブ）と、投射レンズ（いずれも図示せず）とを備えて構成されている。また、光源ランプは、一例として、メタルハライドランプや高圧水銀ランプで構成されて、光源ランプ駆動制御部から供給される光源ランプ駆動パルスによって点灯させられて、白色の投射光を射出する。
【００１７】
音声出力部１８は、制御部２１の制御に従い、映像音声処理部１５から出力された音声信号Ｄｖを増幅して音声信号Ｓｖとしてスピーカ１９に出力する。スピーカ１９は、音声出力部１８から出力された音声信号Ｓｖに基づく音声を出力する。なお、本明細書における「音声」には、人の声のみならず、鳥の鳴き声、風の音および音楽等の各種の「音」が含まれる。キー入力処理部２０は、リモコン３から出力される赤外線信号Ｓｉを受光して復調信号Ｓｄを出力する受光部２０ａを備えて構成され、受光部２０ａからの復調信号Ｓｄに対応する（つまりリモコン３の操作キーに対応する）操作信号Ｓｏを制御部２１に出力する。制御部２１は、キー入力処理部２０から出力された操作信号Ｓｏに従い、選局処理部１１、信号切替部１４、映像音声処理部１５、映像出力部１６および音声出力部１８を制御する。また、制御部２１は、リモコン３のチャンネル指定キー３２Ａ〜３２Ｌ、チャンネルアップキー３２Ｍ、チャンネルダウンキー３２Ｎ（以下、これらの各キー３２Ａ〜３２Ｎを区別しないときには「選局キー３２」ともいう）、および信号切替キー３３（いずれも図２参照）のいずれかに対応する操作信号Ｓｏがキー入力処理部２０から出力されたとき、つまり選局キー３２および信号切替キー３３のいずれか一方が操作されたときには、図３に示す文字画像表示制御５０を実行する。この場合、制御部２１は、映像音声処理部１５を制御することにより、図４〜図６に示すように、文字画像Ｃ１または文字画像Ｃ２と、文字画像Ｃ３または文字画像Ｃ４とを映像Ｐに重ね合わせて表示させる。
【００１８】
ここで、文字画像Ｃ１は、本発明における第１の画像に相当し、選局キー３２または信号切替キー３３の操作の直前に表示されていた映像Ｐがチューナ１２によって抽出されていた映像音声信号Ｓａに基づくものであるときに表示される画像であって、その映像音声信号Ｓａのチャンネルを示している。また、文字画像Ｃ２は、本発明における第２の画像に相当し、選局キー３２または信号切替キー３３の操作の直前に表示されていた映像Ｐが外部装置１００ａ〜１００ｃからの映像音声信号Ｓａに基づくものであるときに表示される画像であって、その映像音声信号Ｓａの入力源を示している。さらに、文字画像Ｃ３は、本発明における第３の画像に相当し、選局キー３２または信号切替キー３３の操作後に表示される映像Ｐがチューナ１２によって抽出されている映像音声信号Ｓａに基づくものであるときに表示される画像であって、その映像音声信号Ｓａのチャンネルを示している。また、文字画像Ｃ４は、本発明における第４の画像に相当し、選局キー３２または信号切替キー３３の操作後に表示される映像Ｐが外部装置１００ａ〜１００ｃからの映像音声信号Ｓａに基づくものであるときに表示される画像であって、その映像音声信号Ｓａの入力源を示している。
【００１９】
リモコン３は、本発明における操作部に相当し、図２に示すように、本体部２とは別体に形成されている。また、リモコン３は、電源キー３１、１２個のチャンネル指定キー３２Ａ〜３２Ｌ、チャンネルアップキー３２Ｍ、チャンネルダウンキー３２Ｎおよび信号切替キー３３などの各種操作キーが配列されて構成され、これらの操作キーが操作されたときに、各操作キーに対応する赤外線信号Ｓｉを出力（送信）する。
【００２０】
次に、テレビ１の全体的な動作について、図面を参照して説明する。この場合、入力端子２２Ａには外部装置１００ａとしてのＶＴＲが接続されているものとする。このテレビ１では、図２に示すリモコン３の電源キー３１が操作された際に、表示部１７の光学エンジンに電源が供給されて、光源が発光する。また、制御部２１が、選局処理部１１を制御することにより、直前の電源切断時に選局されていたチャンネル（例えばＢＳ１０２チャンネル）の映像音声信号Ｓａをチューナ１２に抽出させる。また、制御部２１は、信号切替部１４を制御することにより、チューナ１２から入力する映像音声信号Ｓａを映像音声処理部１５に出力させる。次いで、映像音声処理部１５が、信号切替部１４から出力された映像音声信号Ｓａに基づく映像信号Ｄｐおよび音声信号Ｄｖを映像出力部１６および音声出力部１８にそれぞれ出力する。続いて、映像出力部１６が、映像信号Ｄｐを映像Ｐの表示用の映像信号Ｓｐに変換して表示部１７に出力する。次いで、表示部１７の光学エンジンが映像信号Ｓｐに基づいて変調した投射光をスクリーンパネルに投射する。これにより、図２に示すように、ＢＳ１０２チャンネルの映像Ｐが表示される。また、音声出力部１８が、映像音声処理部１５から出力された音声信号Ｄｖを増幅して音声信号Ｓｖをスピーカ１９に出力し、スピーカ１９が、音声信号Ｓｖに基づくＢＳ１０２チャンネルの音声を出力する。
【００２１】
次に、例えば、図２に示すリモコン３のチャンネルアップキー３２Ｍが操作されたときは、リモコン３が、チャンネルアップキー３２Ｍに対応する赤外線信号Ｓｉを出力し、キー入力処理部２０の受光部２０ａが赤外線信号Ｓｉを受光して復調信号Ｓｄを出力する。また、キー入力処理部２０がその復調信号Ｓｄに対応する操作信号Ｓｏを制御部２１に出力する。これに応じて、制御部２１は、図３に示す文字画像表示制御５０を実行する。この文字画像表示制御５０では、制御部２１は、信号切替部１４によって出力されている映像音声信号Ｓａが入力端子２２を介して入力している映像音声信号Ｓａであるか否か、つまりその映像音声信号Ｓａが外部装置１００ａ〜１００ｃからの映像音声信号Ｓａ（外部入力信号）であるか否かを判別する（ステップ５１）。この場合、この時点では、信号切替部１４が、チューナ１２からの映像音声信号Ｓａ（抽出信号）を出力している。このため、制御部２１は、信号切替部１４から現在出力されている映像音声信号Ｓａのチャンネル（つまりチャンネルアップキー３２Ｍの操作の直前に信号切替部１４から出力されていた映像音声信号Ｓａのチャンネル）を示す文字列（例えば「ＢＳ１０２」の文字列）を取得する（ステップ５２）。
【００２２】
次いで、制御部２１は、キー入力処理部２０（リモコン３）から出力された操作信号Ｓｏが選局キー３２に対応する操作信号Ｓｏであるか否かを判別する（ステップ５３）。この場合、キー入力処理部２０から出力された操作信号Ｓｏが選局キー３２（チャンネルアップキー３２Ｍ）に対応する操作信号Ｓｏであるため、制御部２１は、操作信号Ｓｏに従い、チューナ１２に対して、ＢＳ１０２チャンネルよりも番号が１つ大きいチャンネル（例えばＢＳ１０３チャンネル）を選局させると共に、そのチャンネルの映像音声信号Ｓａを抽出させる。また、制御部２１は、信号切替部１４を制御して、チューナ１２から入力する映像音声信号Ｓａを映像音声処理部１５に出力させると共に、その映像音声信号Ｓａのチャンネル（つまりチャンネルアップキー３２Ｍの操作後に信号切替部１４から出力されている映像音声信号Ｓａのチャンネル）を示す文字列（例えば、「ＢＳ１０３」の文字列）を取得する（ステップ５４）。
【００２３】
続いて、制御部２１は、映像音声処理部１５を制御して、信号切替部１４から出力された映像音声信号Ｓａに基づく映像信号Ｄｐおよび音声信号Ｄｖを映像出力部１６および音声出力部１８にそれぞれ出力させる。この際に、制御部２１は、映像音声処理部１５を制御することにより、ステップ５２で取得した文字列（この場合、「ＢＳ１０２」の文字列）の文字画像Ｃ１と、ステップ５４で取得した文字列（この場合、「ＢＳ１０３」の文字列）の画像であって文字画像Ｃ１よりもやや小さな文字画像Ｃ３とを映像Ｐに重ね合わせて表示するための映像信号Ｄｐを出力させる（ステップ５５）。次いで、映像出力部１６、表示部１７、音声出力部１８およびスピーカ１９が上記の動作と同様にして動作することにより、図４に示すように、ＢＳ１０３チャンネルの映像Ｐに文字画像Ｃ１，Ｃ３を重ね合わせた映像Ｐｓ１が表示されると共に、ＢＳ１０３チャンネルの音声が出力される。続いて、制御部２１は、映像Ｐｓ１の表示開始の時点から時間ｔ（本発明における所定時間：例えば５秒）だけ経過した時点で、映像音声処理部１５を制御して、文字画像Ｃ１，Ｃ３の表示を停止させることにより（ステップ５６）、ＢＳ１０３チャンネルの映像Ｐだけの表示に切り替えさせて、文字画像表示制御５０を終了する。
【００２４】
次に、図１に示す入力端子２２Ａに接続されている外部装置１００ａとしてのＶＴＲから映像音声信号Ｓａ（外部入力信号）を出力させて、その映像Ｐおよび音声を視聴するときには、図２に示すリモコン３の信号切替キー３３を操作する。この際に、リモコン３が信号切替キー３３に対応する赤外線信号Ｓｉを出力し、キー入力処理部２０が操作信号Ｓｏを制御部２１に出力する。これに応じて、制御部２１は、文字画像表示制御５０を実行する。この場合、制御部２１は、ステップ５１において、信号切替部１４から現在出力されている映像音声信号Ｓａが入力端子２２を介して入力していない、つまりその映像音声信号Ｓａが外部装置１００ａ〜１００ｃからの映像音声信号Ｓａではないと判別して、信号切替部１４から現在出力されている映像音声信号Ｓａのチャンネル（つまり信号切替キー３３の操作の直前に信号切替部１４から出力されていた映像音声信号Ｓａのチャンネル）を示す文字列（例えば「ＢＳ１０３」の文字列）を取得する（ステップ５２）。
【００２５】
次いで、制御部２１は、ステップ５３を実行する。この場合、キー入力処理部２０から出力された操作信号Ｓｏが選局キー３２に対応する操作信号Ｓｏではないため、制御部２１は、操作信号Ｓｏに従って信号切替部１４を制御して、チューナ１２からの映像音声信号Ｓａに代えて、入力端子２２Ａを介して入力しているＶＴＲからの映像音声信号Ｓａに切り替えて映像音声処理部１５に出力させる。また、制御部２１は、その映像音声信号Ｓａの入力源（つまり信号切替キー３３の操作後に信号切替部１４から出力される映像音声信号Ｓａの入力源）であるＶＴＲを示す文字列、具体的には入力端子２２Ａに対応付けられた例えば「ビデオ１」の文字列を取得する（ステップ５７）。
【００２６】
続いて、制御部２１は、映像音声処理部１５を制御して、信号切替部１４から出力された映像音声信号Ｓａに基づく映像信号Ｄｐおよび音声信号Ｄｖを映像出力部１６および音声出力部１８にそれぞれ出力させる。この際に、制御部２１は、映像音声処理部１５を制御することにより、ステップ５２で取得した文字列（この場合、「ＢＳ１０３」の文字列）の文字画像Ｃ１と、ステップ５７で取得した文字列（この場合、「ビデオ１」の文字列）の画像であって文字画像Ｃ１よりもやや小さい文字画像Ｃ４とを映像Ｐに重ね合わせて表示するための映像信号Ｄｐを出力させる。次いで、映像出力部１６、表示部１７、音声出力部１８およびスピーカ１９が上記の動作と同様にして動作することにより、図５に示すように、ＶＴＲの映像Ｐに文字画像Ｃ１，Ｃ４を重ね合わせた映像Ｐｓ２が表示されると共にＶＴＲの音声が出力される（ステップ５５）。続いて、制御部２１は、映像Ｐｓ２の表示開始の時点から時間ｔだけ経過した時点で、映像音声処理部１５を制御して、文字画像Ｃ１，Ｃ４の表示を停止させることにより（ステップ５６）、ＶＴＲの映像Ｐだけの表示に切り替えさせて、文字画像表示制御５０を終了する。
【００２７】
次に、例えば、図２に示す「２」の数字が付されたチャンネル指定キー３２Ｂが操作されたときは、リモコン３が、チャンネル指定キー３２Ｂに対応する赤外線信号Ｓｉを出力し、キー入力処理部２０が、操作信号Ｓｏを制御部２１に出力する。これに応じて、制御部２１は、文字画像表示制御５０を実行する。この場合、制御部２１は、ステップ５１において、信号切替部１４から出力されている映像音声信号Ｓａが入力端子２２を介して入力している（つまりその映像音声信号Ｓａが外部入力信号である）と判別して、その映像音声信号Ｓａの入力源（つまりチャンネル指定キー３２Ｂの操作の直前に信号切替部１４から出力されていた映像音声信号Ｓａの入力源）であるＶＴＲを示す文字列（上記した「ビデオ１」の文字列）を取得する（ステップ５８）。
【００２８】
次いで、制御部２１は、ステップ５３を実行する。この場合、キー入力処理部２０から出力された操作信号Ｓｏが選局キー３２（チャンネル指定キー３２Ｂ）に対応する操作信号Ｓｏであるため、制御部２１は、プリセット情報保存部１３に記憶されているプリセットデータＤｃに基づき、チャンネル指定キー３２Ｂに対応付けられたチャンネル（例えば地上デジタル１０チャンネル）を特定し、そのチャンネルの映像音声信号Ｓａをチューナ１２に抽出させる。また、制御部２１は、信号切替部１４を制御して、ＶＴＲからの映像音声信号Ｓａに代えて、チューナ１２からの映像音声信号Ｓａを切り替えて映像音声処理部１５に出力させると共に、その映像音声信号Ｓａのチャンネル（つまりチャンネル指定キー３２Ｂの操作後に信号切替部１４から出力されている映像音声信号Ｓａのチャンネル）を示す文字列（例えば「地上Ｄ１０」の文字列）を取得する（ステップ５４）。
【００２９】
続いて、制御部２１は、映像音声処理部１５を制御して、信号切替部１４から出力されている映像音声信号Ｓａに基づく映像信号Ｄｐおよび音声信号Ｄｖを映像出力部１６および音声出力部１８にそれぞれ出力させる。この際に、制御部２１は、映像音声処理部１５を制御することにより、ステップ５８で取得した文字列（この場合、「ビデオ１」の文字列）の文字画像Ｃ２と、ステップ５４で取得した文字列（この場合、「地上Ｄ１０」の文字列）の画像であって文字画像Ｃ２よりもやや小さい文字画像Ｃ３とを映像Ｐに重ね合わせて表示するための映像信号Ｄｐを出力させる。次いで、映像出力部１６、表示部１７、音声出力部１８およびスピーカ１９が上記の動作と同様にして動作することにより、図６に示すように、地上デジタル１０チャンネルの映像Ｐに文字画像Ｃ２，Ｃ３を重ね合わせた映像Ｐｓ３が表示されると共に地上デジタル１０チャンネルの音声が出力される（ステップ５５）。続いて、制御部２１は、映像Ｐｓ３の表示開始の時点から時間ｔだけ経過した時点で、映像音声処理部１５を制御して、文字画像Ｃ２，Ｃ３の表示を停止させることにより（ステップ５６）、地上デジタル１０チャンネルの映像Ｐだけの表示に切り替えさせて、文字画像表示制御５０を終了する。
【００３０】
以下、制御部２１は、選局キー３２および信号切替キー３３のいずれか一方が操作されたときに文字画像表示制御５０を実行することにより、その操作の直前に信号切替部１４から出力されていた映像音声信号Ｓａのチャンネルを示す文字画像Ｃ１または入力源を示す文字画像Ｃ２と、その操作後に信号切替部１４から出力される映像音声信号Ｓａのチャンネルを示す文字画像Ｃ３または入力源を示す文字画像Ｃ４とを映像Ｐに重ね合わせて表示部１７に表示させる。
【００３１】
このように、このテレビ１によれば、選局キー３２および信号切替キー３３のいずれか一方が操作されたときに、その操作の直前に信号切替部１４から出力されていた映像音声信号Ｓａのチャンネルを示す文字画像Ｃ１または入力源を示す文字画像Ｃ２を表示部１７に表示させることにより、選局キー３２または信号切替キー３３の操作の直前に表示されていた映像Ｐがチューナ１２からの映像音声信号Ｓａに基づくものであるか、入力端子２２を介して入力している外部装置１００ａ〜１００ｃからの映像音声信号Ｓａに基づくものであるかに拘わらず、その映像Ｐのチャンネルを示す文字画像Ｃ１や入力源を示す文字画像Ｃ２を確実に表示させることができる。したがって、このテレビ１によれば、選局キー３２または信号切替キー３３の操作だけで、その操作直前に表示していた映像Ｐのチャンネルや入力源を使用者に対して確実に認識させることができる。
【００３２】
また、このテレビ１によれば、文字画像Ｃ１，Ｃ２，Ｃ３，Ｃ４を時間ｔだけ表示部１７に表示させることにより、例えば、時間ｔを短い時間に設定することで、文字画像Ｃ１，Ｃ２，Ｃ３，Ｃ４の表示によって映像Ｐが長時間に亘って見づらくなる事態を回避することができる。
【００３３】
また、このテレビ１によれば、文字画像Ｃ３，Ｃ４を文字画像Ｃ１，Ｃ２と共に表示部１７に表示させることにより、現在表示されている映像Ｐのチャンネルや入力源と、選局キー３２または信号切替キー３３の操作の直前に表示されていた映像Ｐのチャンネルや入力源とを同時に認識させることができる。
【００３４】
また、このテレビ１によれば、文字画像Ｃ１，Ｃ２を文字画像Ｃ３，Ｃ４よりも大きく表示部１７に表示させることにより、文字画像Ｃ３，Ｃ４と文字画像Ｃ１，Ｃ２とを明確に区別して視認させことができるため、選局キー３２または信号切替キー３３の操作の直前に表示されていた映像Ｐのチャンネルや入力源と、操作後に表示される映像Ｐのチャンネルや入力源とを誤って認識させる事態を確実に防止することができる。本発明は文字画像Ｃ１，Ｃ２を文字画像Ｃ３，Ｃ４よりも大きく表示部１７に表示させることにより、操作の直前の映像源を強調しているが、文字画像Ｃ１，Ｃ２を文字画像Ｃ３，Ｃ４よりも小さく表示部１７に表示させることにより、現在の映像源を強調させることも可能である。
【００３５】
なお、本発明は、上記の構成に限定されない。例えば、光学エンジンおよびスクリーンパネルを有する表示部１７を備えたプロジェクションテレビ１に本発明を適用した例について上記したが、ＣＲＴ、液晶表示パネルおよびプラズマディスプレイ等で構成された表示部を備えたテレビに本発明を適用することもできる。また、文字画像Ｃ１や文字画像Ｃ２および文字画像Ｃ３や文字画像Ｃ４を映像Ｐに重ね合わせて表示する例について上記したが、過去において信号切替部１４から出力されていた映像音声信号Ｓａの複数のチャンネルまたは複数の入力源を示す文字画像を表示する構成を採用することもできる。この構成によれば、表示していた映像Ｐのチャンネルまたは入力源の履歴を認識することができる。また、文字画像Ｃ１または文字画像Ｃ２だけを映像Ｐに重ね合わせて表示する構成を採用することもできる。
【００３６】
また、本体部２とは別体に形成されたリモコン３を本発明における操作部の一例として説明したが、本発明における操作部の構成はこれに限定されず、本体部２に一体形成してもよい。また、外部機器のリモコンや汎用のリモコン等のリモコン３以外の各種のリモコンにおけるチャンネル指定キー、チャンネルアップキー、チャンネルダウンキーおよび信号切替キーの操作に応じて文字画像表示制御５０を実行可能に制御部２１を構成することができるのは勿論である。
【図面の簡単な説明】
【００３７】
【図１】プロジェクションテレビ１の構成を示すブロック図である。
【図２】プロジェクションテレビ１の正面図である。
【図３】文字画像表示制御５０のフローチャートである。
【図４】映像Ｐｓ１の表示画面図である。
【図５】映像Ｐｓ２の表示画面図である。
【図６】映像Ｐｓ３の表示画面図である。
【符号の説明】
【００３８】
１  プロジェクションテレビ、３  リモコン、１１  選局処理部、１２  チューナ、１４  信号切替部、１７  表示部、２１  制御部、３２Ａ〜３２Ｌ  チャンネル指定キー、３２Ｍ  チャンネルアップキー、３２Ｎ  チャンネルダウンキー、３３  信号切替キー、１００ａ〜１００ｃ  外部装置、Ｃ１〜Ｃ４  文字画像、Ｐ  映像、Ｓａ  映像音声信号、ｔ  時間
【図１】
2007116396.tif 000003
【図２】
2007116396.tif 000004
【図３】
2007116396.tif 000005
【図４】
2007116396.tif 000006
【図５】
2007116396.tif 000007
【図６】
2007116396.tif 000008